(57)【要約】【課題】  繭の成分を有する化粧料につき、その有効成分として繭が使用されていることを視覚的に認識させることを可能にするとともに、化粧料としての品位を向上させる。【解決手段】  透光性を有する液体化粧料３が充填されている透光性を有する容器２内に蛹を抜いて洗浄した繭１０が挿入されている。特に、液体化粧料３が黄金繭から分離されるセリシン、フィブロイン等を含んでいるとともに繭１０が黄金繭であると好ましく。更に、液体化粧料に含まれているセリシン、フィブロイン等の成分の殆どが取り除かれたものであってもよい。【選択図】        図１
0003106490.tif 000002
【実用新案登録請求の範囲】
【請求項１】
透光性を有する液体化粧料が充填されている透光性を有する容器内に蛹を抜いて洗浄した繭が挿入されていることを特徴とする繭入り化粧料。
【請求項２】
前記液体化粧料が黄金繭から分離されるセリシン、フィブロイン等を含んでいるとともに前記繭が黄金繭である請求項１記載の繭入り化粧料。
【請求項３】
前記黄金繭が前記液体化粧料に含まれているセリシン、フィブロイン等の成分の殆どが取り除かれたものである請求項１または２記載の繭入り化粧料。
【考案の詳細な説明】
【技術分野】
【０００１】
本考案は、容器入りの化粧料、殊に透光性を有する容器内に透光性を有する液体化粧料が充填されている化粧料、特に繭が挿入されている繭入り化粧料に関するものである。
【背景技術】
【０００２】
従来、植物や動物の組織等を分解し或いは抽出するなどして得られた天然化粧料成分を含有させた化粧料が知られており、近頃の自然志向に伴い多くの種類のものが知られており、野蚕が産出するシルク繊維を利用した美白剤、抗酸化剤、抗菌剤、保湿剤などの成分を含んだ化粧料が例えば特開２０００−５３５５１号公報、特開２００２−８０４９８号公報、特開２００３−１９２５３０号公報等に提示されている。
【特許文献１】特開２０００−５３５５１号公報
【特許文献２】特開２００２−８０４９８号公報
【特許文献３】特開２００３−１９２５３０号公報
【０００３】
また、一般に、天然物が有する有効成分を含んでいることが特徴である化粧料は、被抽出物質の写真や絵柄を表したラベルを容器に付したり包装箱に付したりしてそれらの有効成分を含んでいることを表示して商品の差別化を図っている。
【０００４】
ところが、被抽出物質、即ち、有効成分を含んでいる植物や動物などの絵柄を付しただけでは商品は通常の化粧料と変わりがないので抽出物の存在を強調することができない。
【考案の開示】
【考案が解決しようとする課題】
【０００５】
本考案が解決しようとする課題は、従来の化粧料、特に、繭の成分を有する化粧料につき、その有効成分として繭が使用されていることを視覚的に認識させることを可能にするとともに、化粧料としての品位を向上させることが可能な化粧料を提供するものである。
【課題を解決するための手段】
【０００６】
前記課題を解決するためになされた本考案は、透光性を有する液体化粧料が充填されている透光性を有する容器内に蛹を抜いて洗浄した繭が挿入されていることを特徴とする。また、前記液体化粧料が黄金繭から分離されるセリシン、フィブロイン等を含んでいるとともに前記繭が黄金繭である場合、或いは前記黄金繭が前記液体化粧料に含まれているセリシン、フィブロイン等の成分の殆どが取り除かれたものである場合がある。
【考案の効果】
【０００７】
本考案によれば、容器内に主たる原料である繭が装填されて化粧料の中に浮かんでいるように見えるので、きわめて装飾的効果が大きく、特に、繭が黄金繭の場合には一段と視覚的効果が高まる。
【０００８】
特に、本考案に用いる主たる原料である繭は洗浄して表面を滑らかにして表面の光沢を最大限に放出するように処理してあるので緻密な印象を受けて容器内の化粧料を使用する効果を視覚的に満足することができ、購買意欲が増すばかりか高級感を醸し出す。
【０００９】
加えて、挿入されている繭は化粧料の主たる原料であることから保管中に繭から化粧料に成分が抽出されたとしても化粧料の美的効果が上昇するだけであって、品質的に問題を生じる心配もない。
【００１０】
更に、繭は微細な繊維により一定の形状を呈した状態で形成されているので例えば、容器に取り付けた分与器が詰まったり化粧水の取り出しに邪魔になったりすることもなく、繭は化粧料を使い終わった後もそのまま、或いは繭を取り出して装飾品として使用することもできる。
【考案を実施するための最良の形態】
【００１１】
次に、本考案を実施するための最良の形態について図面を参照して説明する。      
【００１２】
図１は本考案を美容液について実施した場合の好ましい実施の形態を示すものであり、繭入り化粧料１は縦長形状で無色透明のガラス製の容器２内に透光性を有する化粧料３が充填されており、容器２の口部４には分与器５がねじ嵌合することにより固定されており、分与器５にキャップ６が被せられている。      
【００１３】
そして、分与器５は従来周知のものと同様な構成であり、キャップ６を外して上方に突出した押しボタン７を押し下げて釈放することにより、吸上管８が化粧料３を押しボタン７に形成したノズルからなる取出口９から取り出すものである。
【００１４】
また、前記化粧料３は、通常用いられる液状の化粧料基剤に各種の有効成分やエキス等が配合されて全体として透光性と適度の粘性を有しており、特に、化学薬品を使用せずに野蚕繭から分離したセリシンやフィブロインを含有しており、セリシンを含有していることから全体として透明性のある金色を呈しており、美白、抗酸化、抗菌、保湿、更に紫外線カット効果などを有するものであり、特に、具体的には例えば前記特開２０００−５３５５１号公報、特開２００２−８０４９８号公報、特開２００３−１９２５３０号公報等に提示されている手段による。
【００１５】
更に、前記容器２内には蛹を抜いて洗浄、殺菌した繭１０が挿入されている。
【００１６】
この繭１０は、黄金繭（クリキュラ）、ヨナクニサン繭、タサールサン繭、エリサン繭、ムガサン繭、等各種の各種のセリシンを含有する野蚕繭が用いられるが、例えばインドネシアのジャワ島のジョグジヤカルタに生息する学名クリキュラ・トリフェネストラータと呼ばれるヤママユガ科のガが形成する黄金色を呈する黄金繭（クリキュラ）を用いると多大な装飾的効果を得ることができる。
【００１７】
繭１０は野蚕繭であることと、本考案では長繊維の生糸を取る必要がないことから、既に蛹がガになって殻になったものを採取して用いればよいが、野蚕から採取されることから種々の汚れが付着しているとともに繊維の表面が粗いためきれいな黄金の光沢を放ってはいない。
【００１８】
そこで、表面の汚れを取り去るとともに表面を多少溶かして滑らかにすることで黄金の輝きを表出させるために洗浄を行う。ただ、このとき、洗浄により黄金色を呈する成分であるセリシンを多量に溶解してしまうと黄金色を呈しなくなり装飾的効果を失うことにもなるので注意を要する。温湯を用いるとよい。
【００１９】
そして、洗浄した繭は立体的に形を整えて乾燥し、必要であれば抗菌処理をして前記容器２内に装填した後に化粧料３を充填し口部４にキャッブ６を被せた分与器５をねじ嵌合することにより封入するものである。
【００２０】
また、繭１０は例えば前記手段により殆どのセリシンやフィブロインを分離した後のものを用いることもできる。この場合には、化粧料３には黄金色の成分であるセリシンが含まれているので化粧料３全体が黄金色で、その中に挿入されている繭１０も化粧料を介して黄金色に見えるので視覚的効果を得ることができる。また、保存中に繭１０が化粧料３中のセリシンにより多少染色されることもある。
【００２１】
このように、成分を分離した後の繭を用いた場合には分離後の繭を廃棄することなく再利用が可能であり経済面でも優れている。
【００２２】
尚、本実施の形態では透明のガラス製の容器に美容液を充填した化粧料について実施下場合を示したので、容器の大きさや化粧料の状態など本考案にとってきわめて効果が大きいが、透光性を有する容器に透光性を有する化粧料が充填されているものであれば他の化粧料についても実施することができることはいうまでもない。
【図面の簡単な説明】
【００２３】
【図１】本考案を美容液に用いた場合の好ましい実施の形態を示す正面図。
【符号の説明】
【００２４】
１  繭入り化粧料，  ２  容器，  ３  化粧料，  ５  分与器，  ６  キャップ，  １０  繭
【図１】
0003106490.tif 000003
【手続補正書】
【提出日】平成16年9月21日(2004.9.21)
【手続補正１】
【補正対象書類名】実用新案登録請求の範囲
【補正対象項目名】全文
【補正方法】変更
【補正の内容】
【実用新案登録請求の範囲】
【請求項１】
透光性を有する液体化粧料が充填されている透光性を有する容器内に蛹を抜いて洗浄した繭が挿入されていることを特徴とする繭と化粧料を入れた化粧容器。
【請求項２】
前記液体化粧料が黄金繭から分離されるセリシン、フィブロイン等を含んでいるとともに前記繭が黄金繭である請求項１記載の繭と化粧料を入れた化粧容器。
【請求項３】
前記黄金繭が前記液体化粧料に含まれているセリシン、フィブロイン等の成分の殆どが取り除かれたものである請求項１または２記載の繭と化粧料を入れた化粧容器。
【手続補正２】
【補正対象書類名】明細書
【補正対象項目名】全文
【補正方法】変更
【補正の内容】
【考案の詳細な説明】
【技術分野】
【０００１】
本考案は、透光性を有する液体化粧料が充填されている透光性を有する化粧容器、特に繭が挿入されている繭と化粧料を入れた化粧容器に関するものである。
【背景技術】
【０００２】
従来、植物や動物の組織等を分解し或いは抽出するなどして得られた天然化粧料成分を含有させた化粧料が知られており、近頃の自然志向に伴い多くの種類のものが知られており、野蚕が産出するシルク繊維を利用した美白剤、抗酸化剤、抗菌剤、保湿剤などの成分を含んだ化粧料が例えば特開２０００−５３５５１号公報、特開２００２−８０４９８号公報、特開２００３−１９２５３０号公報等に提示されている。
【特許文献１】特開２０００−５３５５１号公報
【特許文献２】特開２００２−８０４９８号公報
【特許文献３】特開２００３−１９２５３０号公報
【０００３】
また、一般に、天然物が有する有効成分を含んでいることが特徴である化粧料は、被抽出物質の写真や絵柄を表したラベルを容器に付したり包装箱に付したりしてそれらの有効成分を含んでいることを表示して商品の差別化を図っている。
【０００４】
ところが、被抽出物質、即ち、有効成分を含んでいる植物や動物などの絵柄を付しただけでは商品は通常の化粧料と変わりがないので抽出物の存在を強調することができない。
【考案の開示】
【考案が解決しようとする課題】
【０００５】
本考案が解決しようとする課題は、従来の化粧料、特に、繭の成分を有する化粧料につき、その有効成分として繭が使用されていることを視覚的に認識させることを可能にするとともに、化粧料としての品位を向上させることが可能な化粧容器を提供するものである。
【課題を解決するための手段】
【０００６】
前記課題を解決するためになされた本考案は、透光性を有する液体化粧料が充填されている透光性を有する容器内に蛹を抜いて洗浄した繭が挿入されていることを特徴とする。また、前記液体化粧料が黄金繭から分離されるセリシン、フィブロイン等を含んでいるとともに前記繭が黄金繭である場合、或いは前記黄金繭が前記液体化粧料に含まれているセリシン、フィブロイン等の成分の殆どが取り除かれたものである場合がある。
【考案の効果】
【０００７】
本考案によれば、容器内に主たる原料である繭が装填されて化粧料の中に浮かんでいるように見えるので、きわめて装飾的効果が大きく、特に、繭が黄金繭の場合には一段と視覚的効果が高まる。
【０００８】
特に、本考案に用いる主たる原料である繭は洗浄して表面を滑らかにして表面の光沢を最大限に放出するように処理してあるので緻密な印象を受けて容器内の化粧料を使用する効果を視覚的に満足することができ、購買意欲が増すばかりか高級感を醸し出す。
【０００９】
加えて、挿入されている繭は化粧料の主たる原料であることから保管中に繭から化粧料に成分が抽出されたとしても化粧料の美的効果が上昇するだけであって、品質的に問題を生じる心配もない。
【００１０】
更に、繭は微細な繊維により一定の形状を呈した状態で形成されているので例えば、容器に取り付けた分与器が詰まったり化粧水の取り出しに邪魔になったりすることもなく、繭は化粧料を使い終わった後もそのまま、或いは繭を取り出して装飾品として使用することもできる。
【考案を実施するための最良の形態】
【００１１】
次に、本考案を実施するための最良の形態について図面を参照して説明する。
【００１２】
図１は本考案を美容液について実施した場合の好ましい実施の形態を示すものであり、繭と化粧料を入れた化粧容器１は縦長形状で無色透明のガラス製の容器２内に透光性を有する化粧料３が充填されており、容器２の口部４には分与器５がねじ嵌合することにより固定されており、分与器５にキャップ６が被せられている。
【００１３】
そして、分与器５は従来周知のものと同様な構成であり、キャップ６を外して上方に突出した押しボタン７を押し下げて釈放することにより、吸上管８が化粧料３を押しボタン７に形成したノズルからなる取出口９から取り出すものである。
【００１４】
また、前記化粧料３は、通常用いられる液状の化粧料基剤に各種の有効成分やエキス等が配合されて全体として透光性と適度の粘性を有しており、特に、化学薬品を使用せずに野蚕繭から分離したセリシンやフィブロインを含有しており、セリシンを含有していることから全体として透明性のある金色を呈しており、美白、抗酸化、抗菌、保湿、更に紫外線カット効果などを有するものであり、特に、具体的には例えば前記特開２０００−５３５５１号公報、特開２００２−８０４９８号公報、特開２００３−１９２５３０号公報等に提示されている手段による。
【００１５】
更に、前記容器２内には蛹を抜いて洗浄、殺菌した繭１０が挿入されている。
【００１６】
この繭１０は、黄金繭（クリキュラ）、ヨナクニサン繭、タサールサン繭、エリサン繭、ムガサン繭、等各種の各種のセリシンを含有する野蚕繭が用いられるが、例えばインドネシアのジャワ島のジョグジヤカルタに生息する学名クリキュラ・トリフェネストラータと呼ばれるヤママユガ科のガが形成する黄金色を呈する黄金繭（クリキュラ）を用いると多大な装飾的効果を得ることができる。
【００１７】
繭１０は野蚕繭であることと、本考案では長繊維の生糸を取る必要がないことから、既に蛹がガになって殻になったものを採取して用いればよいが、野蚕から採取されることから種々の汚れが付着しているとともに繊維の表面が粗いためきれいな黄金の光沢を放ってはいない。
【００１８】
そこで、表面の汚れを取り去るとともに表面を多少溶かして滑らかにすることで黄金の輝きを表出させるために洗浄を行う。ただ、このとき、洗浄により黄金色を呈する成分であるセリシンを多量に溶解してしまうと黄金色を呈しなくなり装飾的効果を失うことにもなるので注意を要する。温湯を用いるとよい。
【００１９】
そして、洗浄した繭は立体的に形を整えて乾燥し、必要であれば抗菌処理をして前記容器２内に装填した後に化粧料３を充填し口部４にキャッブ６を被せた分与器５をねじ嵌合することにより封入するものである。
【００２０】
また、繭１０は例えば前記手段により殆どのセリシンやフィブロインを分離した後のものを用いることもできる。この場合には、化粧料３には黄金色の成分であるセリシンが含まれているので化粧料３全体が黄金色で、その中に挿入されている繭１０も化粧料を介して黄金色に見えるので視覚的効果を得ることができる。また、保存中に繭１０が化粧料３中のセリシンにより多少染色されることもある。
【００２１】
このように、成分を分離した後の繭を用いた場合には分離後の繭を廃棄することなく再利用が可能であり経済面でも優れている。
【００２２】
尚、本実施の形態では透明のガラス製の容器に美容液を充填した化粧料について実施下場合を示したので、容器の大きさや化粧料の状態など本考案にとってきわめて効果が大きいが、透光性を有する容器に透光性を有する化粧料が充填されているものであれば他の化粧料についても実施することができることはいうまでもない。
【図面の簡単な説明】
【００２３】
【図１】本考案を美容液に用いた場合の好ましい実施の形態を示す正面図。
【符号の説明】
【００２４】
１  繭と化粧料を入れた化粧容器，  ２  容器，  ３  化粧料，  ５  分与器，  ６  キャップ，  １０  繭